(57)【特許請求の範囲】
【請求項１】
人の睫毛に美容施術を施す練習をするための顔マネキンの製造方法であって、
型を用いて成形され目を閉じた状態の少なくとも頭部の前半分の顔を模した表面をもつ顔マネキン本体を準備する第一工程と、
前記第一工程で準備した前記顔マネキン本体の上まぶたと下まぶたとの境目に目かしらから目じりにかけてカッターにより切って切れ込みを設ける第二工程と、
を備え、
前記カッターに切られてできた上の境目または下の境目に付け睫毛を付けて上まぶたと下まぶたとの境目に挟み、付けた前記付け睫毛の睫毛に美容施術を施して人の睫毛に美容施術を施す練習をすることができる、
顔マネキンの製造方法。
【請求項２】
前記顔マネキン本体が目を閉じた状態の顔を模した表面をもち所定の厚みをもつ顔マネキン表と該顔マネキン表を被される顔マネキン基礎とを有し、
前記第二工程が前記顔マネキン表の所定の厚みを貫通してカッターにより切って前記切れ込みを設ける、
ことを特徴とする請求項１に記載の顔マネキンの製造方法。
【請求項３】
前記第二工程が前記顔マネキン本体の表側から内側に移動するに従って頭頂部の側に移動する様に傾斜してカッターにより切って前記切れ込みを設ける、
ことを特徴とする請求項２に記載の顔マネキンの製造方法。
【請求項４】
人の睫毛に施す美容施術の練習方法であって、
目を閉じた状態の少なくとも頭部の前半分の顔を模した表面をもち型を用いて成形された後で上まぶたと下まぶたとの境目に目かしらから目じりにかけてカッターにより切って切れ込みを設けられる顔マネキン本体を有する顔マネキンを準備する第一準備工程と、
前記切れ込みを形成するカッターに切られてできた上の境目または下の境目に付け睫毛を付けて上まぶたと下まぶたとの境目に挟む第二準備工程と、
前記第二準備工程で付けた前記付け睫毛の睫毛に美容施術を施すことにより人の睫毛に美容施術を施す練習をする練習工程と、
を備えることを特徴とする美容施術の練習方法。
【発明の詳細な説明】
【技術分野】
【０００１】
本発明は、顔マネキンと美容施術の練習方法に係る。特に、美容施術の練習用の顔マネキンとその顔マネキンを用いた美容施術の練習方法に関する。
【背景技術】
【０００２】
各種の美容施術がある。
美容施術には、熟練を要する。
例えば、睫毛エクステンション施術は、睫毛エクステンションを人間の睫毛に一本一本装着する施術である。
睫毛エクステンション施術は、睫毛エクステ技術者と呼ばれる者より行われる。その施術には、熟練を要する。
例えば、睫毛パーマは、睫毛にパーマネントを施する施術である。
【０００３】
睫毛エクステ技術者は、熟練のために、実際の施術の前に十分な練習を行う。
例えば、睫毛エクステ技術者は、付け睫毛を顔マネキンや紙コップ等に付け、その付け睫毛を実際の睫毛に見たてて、睫毛エクステンションの施術を練習する。
【０００４】
美容施術の練習用の顔マネキンが提案されているが、リアル感が欠けている。
例えば、幾つかの睫毛エクステンション練習用の顔マネキンが提案されているが、リアル感が欠けている。
よりリアルは美容施術の練習ができる顔マネキンが望まれる。
例えば、よりリアルな付け睫毛エクステンションの練習ができる顔マネキンが望まれている。
【発明の概要】
【発明が解決しようとする課題】
【０００５】
本発明は以上に述べた問題点に鑑み案出されたもので、美容施術の練習に適した顔マネキンとそれを用いた美容施術の練習方法を提供しようとする。
【課題を解決するための手段】
【０００６】
上記目的を達成するため、本発明に係る顔マネキンであって、目を閉じた状態の少なくとも頭部の前半分の顔を模した表面をもつ顔マネキン本体を、備え、前記顔マネキン本体が上まぶたと下まぶたとの境目に切れ込みを設けられる、ものとした。
【０００７】
上記本発明の構成により、顔マネキン本体は、目を閉じた状態の少なくとも頭部の前半分の顔を模した表面をもつ。前記顔マネキン本体が上まぶたと下まぶたとの境目に切れ込みを設けられる。
その結果、前記切り込みを形成する上の境目と下の境目とが上まぶたの粘膜と下まぶたの粘膜を模し、リアルな美容施術の練習ができる。
【０００８】
以下に、本発明の実施形態に係る顔マネキンを説明する。本発明は、以下に記載した実施形態のいずれか、またはそれらの中の二つ以上が組み合わされた態様を含む。
【０００９】
本発明の実施形態に係る顔マネキンは、前記顔マネキン本体が目を閉じた状態の顔を模した表面をもち所定の厚みをもつ顔マネキン表と該顔マネキン表を被される顔マネキン基礎とを有し、前記切れ込みが該顔マネキン表の所定の厚みを貫通して設けられる。
上記の実施形態の構成により、前記顔マネキン本体の顔マネキン表が、目を閉じた状態の顔を模した表面をもち所定の厚みをもつ。前記顔マネキン本体の顔マネキン基礎が、該顔マネキン表を被される。前記切れ込みが、該顔マネキン表の所定の厚みを貫通して設けられる。
その結果、前記顔マネキン基礎の前記顔マネキン表に接する部分が眼球を模し、切れ込みを形成する上の境目が眼球を模した部分に沿って移動でき、リアル感が増す。
【００１０】
本発明の実施形態に係る顔マネキンは、前記顔マネキン表の上まぶた付近の所定の厚みが人の上まぶたの厚みに近似する。
上記の実施形態の構成により、前記顔マネキン表の上まぶた付近の所定の厚みが人の上まぶたの厚みに近似する。
その結果、美容施術を練習する際のリアル感がます。
【００１１】
本発明の実施形態に係る顔マネキンは、前記切れ込みが前記顔マネキン本体の表側から内側に移動するに従って頭頂部の側に移動する様に傾斜して設けられる。
上記の実施形態の構成により、前記切れ込みが前記顔マネキン本体の表側から内側に移動するに従って頭頂部の側に移動する様に傾斜して設けられる。
その結果、美容施術を練習する際のリアル感が増す。
【００１２】
本発明の実施形態に係る顔マネキンは、前記顔マネキン表が少なくとも頭部の前半分を模した表面をもち、前記顔マネキン基礎から着脱可能である。
上記の実施形態の構成により、前記顔マネキン表が、少なくとも頭部の前半分を模した表面をもち、前記顔マネキン基礎から着脱可能である。
その結果、美容施術を効率良く練習できる。
【００１３】
上記目的を達成するために、美容施術の練習方法を、目を閉じた状態の少なくとも頭部の前半分の顔を模した表面をもち上まぶたと下まぶたとの境目に切れ込みを設けられる顔マネキン本体を有する顔マネキンを準備する第一準備工程と、前記切れ込みを形成する上の境目または下の境目に付け睫毛を付ける第二準備工程と、前記付け睫毛に美容施術を施す練習工程と、を備えるものとする。
【００１４】
前記第一準備工程が、目を閉じた状態の少なくとも頭部の前半分の顔を模した表面をもち上まぶたと下まぶたとの境目に切れ込みを設けられる顔マネキン本体を有する顔マネキンを準備する。前記第二準備工程が、前記切れ込みを形成する上の境目または下の境目に付け睫毛を付ける。前記練習工程が、前記付け睫毛に美容施術を施す。
その結果、美容施術の練習を効率よく行える。
【発明の効果】
【００１５】
以上説明したように、本発明に係る顔マネキンは、その構成により、以下の効果を有する。
目を閉じた状態を模した表面を持つ顔マネキンが上まぶたと下まぶたとの境目に切り込みを設けられる様にしたので、前記切り込みを形成する上の境目と下の境目とが上まぶたの粘膜と下まぶたの粘膜を模し、リアルな美容施術の練習ができる。
また、前記顔マネキン基礎に被される前記顔マネキン表が目を閉じた状態の顔を模した表面をもち、切れ込みが前記顔マネキン表の所定の厚みを貫通して設けられる様にしたので、前記顔マネキン基礎の前記顔マネキン表に接する部分が眼球を模し、切れ込みを形成する上の境目が眼球を模した部分に沿って移動でき、リアル感が増す。
また、前記顔マネキン表の上まぶた付近の所定の厚みが人の上まぶたの厚みに近似する様にしたので、例えば、美容施術を練習する際のリアル感が増す。
また、前記切れ込みが前記顔マネキン本体の表側から内側に移動するに従って頭部の側に移動する様に傾斜して設けられる様にしたので、例えば、美容施術を練習する際のリアル感が増す。
また、前記顔マネキン表が、少なくとも頭部の前半分を模した表面をもち、前記顔マネキン基礎から着脱できる様にしたので、美容施術を効率良く練習できる。
【００１６】
以上説明したように、本発明に係る美容施術の練習方法は、その構成により、以下の効果を有する。
目を閉じた状態を模した表面を持ち上まぶたと下まぶたとの境目に切り込みを入れる顔マネキンを用い、前記切り込みを形成する上の境目と下の境目とが上まぶたの粘膜と下まぶたの粘膜を模し、上まぶたの粘膜または下まぶたの粘膜を模した境目に付け睫毛を付けて、前記付け睫毛に美容施術を施す様にしたので、美容施術の練習を効率よく行える。
従って、美容施術の練習用の顔マネキンとそれを用いた美容施術の練習方法を提供できる。
【図面の簡単な説明】
【００１７】
【図１】本発明の実施形態に係る顔マネキンの正面図である。
【図２】本発明の実施形態に係る顔マネキンの側面図である。
【図３】本発明の実施形態に係る顔マネキンの平面図である。
【図４】本発明の第一の実施形態に係る顔マネキンのＡ−Ａ断面図である。
【図５】本発明の第一の実施形態に係る顔マネキンの部分拡大図である。
【図６】本発明の第二の実施形態に係る顔マネキンのＡ−Ａ断面図である。
【図７】本発明の第二の実施形態に係る顔マネキンの部分拡大図である。
【図８】本発明の第三の実施形態に係る顔マネキンの側面図である。
【図９】本発明の実施形態に係る練習方法のフローチャートである。
【図１０】本発明の実施形態に係る練習方法その１の作用図である。
【図１１】本発明の実施形態に係る練習方法その２の作用図である。
【図１２】人間の目元の構造図である。
【図１３】人間の目元の正面図である。
【発明を実施するための形態】
【００１８】
以下、本発明を実施するための第一の実施形態に係る顔マネキンを図面を参照して、説明する。
図１は、本発明の実施形態に係る顔マネキンの正面図である。図２は、本発明の実施形態に係る顔マネキンの側面図である。図３は、本発明の実施形態に係る顔マネキンの平面図である。図４は、本発明の第一の実施形態に係る顔マネキンのＡ−Ａ断面図である。図５は、本発明の第一の実施形態に係る顔マネキンの部分拡大図である。
【００１９】
顔マネキンは、表が人の顔を模したマネキンである。
顔マネキンは、美容施術の練習用に用いられてもよい。
例えば、顔マネキンは睫毛エクステンション施術の練習用に用いられる。
【００２０】
顔マネキンは、顔マネキン本体で構成される。
顔マネキン本体１００は、目を閉じた状態の顔を模した表面をもつものである。
例えば、顔マネキン本体１００は、目を閉じた状態の少なくとも頭部の前半分の顔を模した表面をもつものである。
【００２１】
顔マネキン本体１００が、上まぶたＳｕと下まぶたＳｄとの境目に切れ込みＣを設けられる。
顔マネキン本体１００が、上まぶたＳｕと下まぶたＳｄとの境目に目かしらＹ１から目じりＹ２にかけて切れ込みＣを入れられてもよい。
切れ込みＣは、型を用いて成形された顔マネキン本体の上まぶたＳｕと下まぶたＳｄとの境目をカッター等により切って設けられても良い。
切れ込みＣは、顔マネキン本体を成形する際に用いられる型により成形されてもよい。
【００２２】
切れ込みＣが顔マネキン本体１００の表側から内側に移動するに従って頭頂部の側に移動する様に傾斜して入れられてもよい。
【００２３】
次ぎに、本発明の第二の実施形態にかかる顔マネキンを、図を基に、説明する。
図１は、本発明の実施形態に係る顔マネキンの正面図である。図２は、本発明の実施形態に係る顔マネキンの側面図である。図３は、本発明の実施形態に係る顔マネキンの平面図である。図６は、本発明の第二の実施形態に係る顔マネキンのＡ−Ａ断面図である。図７は、本発明の第二の実施形態に係る顔マネキンの部分拡大図である。
【００２４】
顔マネキンは、顔が人の顔を模したマネキンである。
顔マネキンは、美容施術の練習用に用いられてもよい。
例えば、顔マネキンは睫毛エクステンション施術の練習用に用いられる。
【００２５】
顔マネキンは、顔マネキン本体で構成される。
顔マネキン本体１００は、目を閉じた状態の顔を模した表面をもつものである。
例えば、顔マネキン本体１００は、目を閉じた状態の少なくとも頭部の前半分の顔を模した表面をもつものである。
【００２６】
顔マネキン本体１００は、顔マネキン表１０１と顔マネキン基礎１０２とで構成される。
顔マネキン表１０１は、目を閉じた状態の顔を模した表面をもち所定の厚みをもつものである。
顔マネキン基礎１０２は、顔マネキン表１０１を被されるものである。
【００２７】
顔マネキン本体１００が、上まぶたＳｕと下まぶたＳｄとの境目に切れ込みＣを設けられる。
顔マネキン本体１００が、上まぶたＳｕと下まぶたＳｄとの境目に目かしらＹ１から目じりＹ２にかけて切れ込みＣを入れられてもよい。
切れ込みＣが、顔マネキン表１０２の所定の厚みを貫通して入れられてもよい。
例えば、顔マネキン表１０２が、上まぶたＳｕと下まぶたＳｄとの境目に目かしらＹ１から目じりＹ２にかけて切れ込みＣを所定の厚みを貫通して設けられる。
切れ込みＣは、型を用いて成形された顔マネキン本体の上まぶたＳｕと下まぶたＳｄとの境目をカッター等により切って設けられても良い。
切れ込みＣは、顔マネキン本体を成形する際に用いられる型により成形されてもよい。
【００２８】
顔マネキン表１０１の上まぶた付近の所定の厚みｔが人の上まぶたの厚みＴに近似してもよい。
【００２９】
切れ込みＣが、顔マネキン本体１００の表側から内側に移動するに従って頭頂部の側に移動する様に傾斜して入れられてもよい。
例えば、切れ込みＣが、顔マネキン表１０１の表側から内側に移動するに従って頭頂部の側に移動する様に傾斜して設けられる。
【００３０】
次ぎに、本発明の第三の実施形態にかかる顔マネキンを、図を基に、説明する。
図１は、本発明の実施形態に係る顔マネキンの正面図である。図２は、本発明の実施形態に係る顔マネキンの側面図である。図３は、本発明の実施形態に係る顔マネキンの平面図である。図７は、本発明の第二の実施形態に係る顔マネキンの部分拡大図である。図８は、本発明の第三の実施形態に係る顔マネキンの側面図である。
【００３１】
顔マネキンは、顔が人の顔を模したマネキンである。
顔マネキンは、美容施術の練習用に用いられてもよい。
例えば、顔マネキンは睫毛エクステンション施術の練習用に用いられる。
【００３２】
顔マネキンは、顔マネキン本体で構成される。
顔マネキン本体１００は、目を閉じた状態の顔を模した表面をもつものである。
例えば、顔マネキン本体１００は、目を閉じた状態の少なくとも頭部の前半分の顔を模した表面をもつものである。
【００３３】
顔マネキン本体１００は、顔マネキン表１１０と顔マネキン基礎１２０とで構成される。
顔マネキン表１１０は、目を閉じた状態の顔を模した表面をもち所定の厚みをもつものである。
顔マネキン基礎１２０は、顔マネキン表１１０を被されるものである。
【００３４】
顔マネキン表１１０は、顔マネキン基礎１２０から脱着可能である。
顔マネキン基礎１２０は、切り込みを入れられていなくてもよい、
顔マネキン基礎１２０は、第一の実施形態にかかる顔マネキンの顔マネキン本体と同じ構造を持っていてもよい。
顔マネキン基礎１２０は、第二の実施形態にかかる顔マネキンの顔マネキン本体と同じ構造を持っていてもよい。
【００３５】
顔マネキン本体１００が、上まぶたＳｕと下まぶたＳｄとの境目に切れ込みＣを設けられる。
顔マネキン本体１００が、上まぶたＳｕと下まぶたＳｄとの境目に目かしらＹ１から目じりＹ２にかけて切れ込みＣを入れられてもよい。
切れ込みＣが、顔マネキン表１１０の所定の厚みを貫通して入れられてもよい。
例えば、顔マネキン表１１０が、上まぶたＳｕと下まぶたＳｄとの境目に目かしらＹ１から目じりＹ２にかけて切れ込みＣを所定の厚みを貫通して設けられる。
切れ込みＣは、型を用いて成形された顔マネキン本体の上まぶたＳｕと下まぶたＳｄとの境目をカッター等により切って設けられても良い。
切れ込みＣは、顔マネキン本体を成形する際に用いられる型により成形されてもよい。
【００３６】
顔マネキン表１０１の上まぶた付近の所定の厚みｔが人の上まぶたの厚みＴに近似してもよい。
【００３７】
切れ込みＣが顔マネキン本体１００の表側から内側に移動するに従って頭頂部の側に移動する様に傾斜して入れられてもよい。
例えば、切れ込みＣが顔マネキン表１１０の表側から内側に移動するに従って頭頂部の側に移動する様に傾斜して設けられる。
【００３８】
次ぎに、本発明の実施形態にかかる美容施術の練習方法を、図を基に、説明する。
図９は、本発明の実施形態に係る練習方法のフローチャートである。図１０は、本発明の実施形態に係る練習方法第一の作用図である。図１１は、本発明の実施形態に係る練習方法第二の作用図である。
以下では、説明の便宜上、美容施術が睫毛エクステンション施術である場合を例に説明する。
【００３９】
本発明の実施形態にかかる美容施術の練習方法は、美容施術を練習する方法である。
本発明の実施形態にかかる美容施術の練習方法は、第一準備工程Ｓ１０と第二準備工程Ｓ２０と練習工程Ｓ３０とで構成される。
【００４０】
第一準備工程は、顔マネキンを準備する工程である。
顔マネキンは、前述したものと同じなので、説明を省略する。
【００４１】
第二準備工程は、切れ込みＣを形成する上の境目Ｘｕまたは下の境目Ｘｄに付け睫毛を付ける工程である。
切れ込みＣを形成する上の境目Ｘｕと下の境目Ｘｄとに付け睫毛を挟んで、上の境目Ｘｕまたは下の境目Ｘｄに付け睫毛を付けてもよい。
付け睫毛は、付け上睫毛であってもよい。
付け睫毛は、付け下睫毛であってもよい。
付け上睫毛と付け下睫毛とを同時に付けてもよい。
例えば、切れ込みＣを形成する上の境目Ｘｕに付け上睫毛を付ける。
例えば、切れ込みＣを形成する下の境目Ｘｄに付け下睫毛を付ける。
図１０は、切れ込みＣを形成する上の境目Ｘｕと下の境目Ｘｄとに付け上睫毛を挟んで、上の境目Ｘｕまたは下の境目Ｘｄに付け上睫毛を付ける様子を示す。
切れ込みＣを形成する上の境目Ｘｕまたは下の境目Ｘｄに付け睫毛を貼り付けてもよい。
図１１は、切れ込みＣを形成する上の境目Ｘｕに付け上睫毛を貼り付ける様子を示す。
【００４２】
練習工程Ｓ３０は、付け睫毛に美容施術を施す工程である。
練習工程は、付け睫毛に睫毛エクステンションを施術してもよい。
図１０、図１１は、付け睫毛２１０に睫毛エクステンション２２０を付ける様子を示す。
この様にすると、人間の睫毛に睫毛エクステンション２２０を付ける施術を練習できる。
【００４３】
以上説明したように、本発明の実施形態に係る顔マネキンは、その構成により、以下の効果を有する。
目を閉じた状態を模した表面を持つ顔マネキンに上まぶたと下まぶたとの境目に目かしらから目じりにかけて切り込みを入れる様にしたので、前記切り込みを形成する上の境目と下の境目とが上まぶたの粘膜と下まぶたの粘膜を模し、上まぶたの粘膜または下まぶたの粘膜を模した境目に付け睫毛を付けると、例えば、睫毛エクステンションの美容施術の練習ができる。
また、前記顔マネキン基礎に被される前記顔マネキン表が目を閉じた状態の顔を模した表面をもち、切れ込みが前記顔マネキン表の所定の厚みを貫通して設けられる様にしたので、前記顔マネキン基礎の前記顔マネキン表に接する部分が眼球を模し、切れ込みを形成する上の境目が眼球を模した部分に沿って移動できる。
また、前記顔マネキン表の上まぶた付近の所定の厚みが人の上まぶたの厚みに近似する様にしたので、例えば、睫毛エクステンションの美容施術を練習する際のリアル感がます。
また、前記切れ込みが前記顔マネキン本体の表側から内側に移動するに従って頭部の側に移動する様に傾斜して設けられる様にしたので、例えば、睫毛エクステンションの美容施術を練習する際のリアル感が増す。
また、前記顔マネキン表が少なくとも頭部の前半分を模した表面をもち、前記顔マネキン基礎から着脱できる様にしたので、睫毛エクステンションの美容施術を効率良く練習できる。
【００４４】
以上説明したように、本発明に係る睫毛エクステンション施術等の美容施術の練習方法は、その構成により、以下の効果を有する。
目を閉じた状態を模した表面を持ち上まぶたと下まぶたとの境目に切り込みを入れる顔マネキンを持ちい、前記切り込みを形成する上の境目と下の境目とが上まぶたの粘膜と下まぶたの粘膜を模し、上まぶたの粘膜または下まぶたの粘膜を模した境目に付け睫毛を付けて、前記付け睫毛に睫毛エクステンション等の美容施術を施す様にしたので、睫毛エクステンションの美容施術の練習を効率よく行える。
【００４５】
本発明は以上に述べた実施形態に限られるものではなく、発明の要旨を逸脱しない範囲で各種の変更が可能である。
【符号の説明】
【００４６】
Ｃ  切れ込み
Ｓｕ  上まぶた
Ｓｄ  下まぶた
Ｘｕ  上の境目
Ｘｄ  下の境目
Ｙ１  目かしら
Ｙ２  目じり
１００  顔マネキン本体
１０１  顔マネキン表
１０２  顔マネキン基礎
１１０  顔マネキン表
１２０  顔マネキン基礎
１２１  顔マネキン表
１２２  顔マネキン基礎
２１０  付け睫毛
２２０  睫毛エクステンション
【先行技術文献】
【特許文献】
【００４７】
【特許文献１】特開２０１４−１３６０９１号
【特許文献２】実開２０１４−４６１２１号
【図１】
0006278885.tif 000002
【図２】
0006278885.tif 000003
【図３】
0006278885.tif 000004
【図４】
0006278885.tif 000005
【図５】
0006278885.tif 000006
【図６】
0006278885.tif 000007
【図７】
0006278885.tif 000008
【図８】
0006278885.tif 000009
【図９】
0006278885.tif 000010
【図１０】
0006278885.tif 000011
【図１１】
0006278885.tif 000012
【図１２】
0006278885.tif 000013
【図１３】
0006278885.tif 000014